(57)【要約】【課題】ファクシミリデータの送信元を予め限定することなく、有用でないファクシミリ受信データに基づく印刷処理によって無駄にシートが消費されることを防ぐこと。【解決手段】ファクシミリ装置１０において、受信データ分類部５４Ｂは、他装置から受信されたファクシミリ受信データＤ０が表す受信画像が予め設定された保留条件を満たすか否かを判定することにより、前記ファクシミリ受信データＤ０を非保留データおよび保留データの一方に分類する。印刷制御部５３は、前記ファクシミリ受信データＤ０が前記非保留データに分類されたときに、前記受信画像についての印刷処理を画像形成部３に実行させ、前記ファクシミリ受信データＤ０が前記保留データに分類されたときに、前記受信画像についての前記印刷処理を保留する。【選択図】図１
2018019126.tif 000002
【特許請求の範囲】
【請求項１】
ユーザーの操作を受け付ける操作部と、
画像を表示可能な表示部と、
画像をシートに形成する印刷処理を実行可能な画像形成部と、
他装置から受信したファクシミリ受信データをコンピューター読み取り可能な不揮発性の受信データ記憶部に記憶させる受信データ記録部と、
前記他装置から受信された前記ファクシミリ受信データが表す受信画像が予め設定された保留条件を満たすか否かを判定することにより、前記ファクシミリ受信データを非保留データおよび保留データの一方に分類する受信データ分類部と、
前記ファクシミリ受信データが前記非保留データに分類されたときに、前記ファクシミリ受信データが表す前記受信画像についての前記印刷処理を前記画像形成部に実行させ、前記ファクシミリ受信データが前記保留データに分類されたときに、前記ファクシミリ受信データが表す前記受信画像についての前記印刷処理を保留する印刷制御部と、
前記ファクシミリ受信データが表す前記受信画像を前記表示部にプレビュー表示させ、さらに、前記操作部に対する確認操作に従って、前記ファクシミリ受信データの分類を維持するか変更するかを選択可能な分類確認部と、を備え、
前記印刷制御部は、前記ファクシミリ受信データの分類が前記保留データから前記非保留データへ変更された場合に、分類が変更された前記ファクシミリ受信データについての前記印刷処理を前記画像形成部に実行させる、ファクシミリ装置。
【請求項２】
前記保留データに分類された前記ファクシミリ受信データについての前記印刷処理が保留された旨の通知を前記表示部を通じて出力する保留通知部と、
前記保留データに分類された前記ファクシミリ受信データが、その分類を変更されないまま予め設定された期間を経過した放置保留データであるか否かを判定し、前記放置保留データであると判定された前記ファクシミリ受信データの送信元の情報を保留データ送信元情報としてコンピューター読み取り可能な不揮発性の送信元記憶部に記録する送信元記録部をさらに備え、
前記受信データ分類部は、前記保留データ送信元情報に含まれる送信元から得られた前記ファクシミリ受信データについては、前記保留条件の成否に関わらず前記保留データに分類する、請求項１に記載のファクシミリ装置。
【請求項３】
前記送信元記録部は、前記保留データへの分類が前記確認操作によって維持された前記ファクシミリ受信データの送信元の情報を前記保留データ送信元情報として前記送信元記憶部に記録する、請求項２に記載のファクシミリ装置。
【請求項４】
前記受信データ分類部は、前記受信画像において、画素値が予め設定されたしきい濃度レベルを超える有意画素が占める比率が予め設定されたしきい比率を超えるという第１保留条件が成立するか否かを判定する画素比率判定部を含む、請求項１から請求項３のいずれか１項に記載のファクシミリ装置。
【請求項５】
前記第１保留条件の不成立により前記非保留データに分類された前記ファクシミリ受信データの分類が前記保留データへ変更された場合に、前記第１保留条件の前記しきい比率を、分類が変更された前記ファクシミリ受信データが表す前記受信画像において前記有意画素が占める比率よりも小さい比率へ補正する第１保留条件緩和部と、
前記第１保留条件の成立により前記保留データに分類された前記ファクシミリ受信データの分類が前記非保留データへ変更された場合に、前記第１保留条件の前記しきい比率を、分類が変更された前記ファクシミリ受信データが表す前記受信画像において前記有意画素が占める比率へ補正する第１保留条件強化部と、をさらに備える、請求項４に記載のファクシミリ装置。
【請求項６】
前記受信データ分類部は、前記受信画像に対する文字認識処理を行うことにより、前記受信画像に予め設定された文字列である登録キーワードの画像が含まれているという第２保留条件が成立するか否かを判定するキーワード判定部を含む、請求項１から請求項５のいずれか１項に記載のファクシミリ装置。
【請求項７】
前記第２保留条件の不成立により前記非保留データに分類された前記ファクシミリ受信データの分類が前記保留データへ変更された場合に、前記第２保留条件の前記キーワード以外の予め設定された１つ以上の候補キーワードの中から、分類が変更された前記ファクシミリ受信データが表す前記受信画像に含まれる文字列画像が表す文字列に一致する補足キーワードを選択し、前記第２保留条件の前記登録キーワードに前記補足キーワードを追加する第２保留条件緩和部と、
前記第２保留条件の成立により前記保留データに分類された前記ファクシミリ受信データの分類が前記非保留データへ変更された場合に、前記第２保留条件の前記登録キーワードから、分類が変更された前記ファクシミリ受信データが表す前記受信画像に含まれる文字列画像が表す文字列に一致するものを除外する第２保留条件強化部と、をさらに備える請求項６に記載のファクシミリ装置。
【請求項８】
前記受信データ記録部は、前記ファクシミリ受信データを識別情報と対応付けて前記受信データ記憶部に記憶させ、
前記印刷制御部は、前記受信画像に前記識別情報の画像を付加した画像ついての前記印刷処理を前記画像形成部に実行させ、
前記分類確認部は、前記操作部に対して前記識別情報を指定する操作が行われた場合に、指定された前記識別情報に対応する前記ファクシミリ受信データについて、前記受信画像のプレビュー表示および前記確認操作に対応する処理を実行する、請求項１から請求項７のいずれか１項に記載のファクシミリ装置。
【発明の詳細な説明】
【技術分野】
【０００１】
本発明は、ファクシミリ装置に関する。
【背景技術】
【０００２】
一般に、ファクシミリ装置は、他装置からファクシミリデータを受信した場合に、受信したファクシミリデータが表す受信画像をシートに形成する印刷処理を実行する。
【０００３】
また、前記ファクシミリ装置が、ファクシミリ受信データの送信元の回線番号が予め記憶部に記憶されている回線番号と一致する場合に、前記受信画像の前記印刷処理を実行し、そうでない場合に、前記受信画像の前記印刷処理を保留することが知られている（例えば、特許文献１参照）。
【先行技術文献】
【特許文献】
【０００４】
【特許文献１】特開２０１２−２２２５９６号公報
【発明の概要】
【発明が解決しようとする課題】
【０００５】
ところで、前記ファクシミリ装置において、一方的な宣伝チラシのＦＡＸなどのいわゆるジャンクＦＡＸが受信された場合、前記受信画像の前記印刷処理が行われると前記シートが無駄に消費される。
【０００６】
一方、企業などに設置される前記ファクシミリ装置において、予め登録されていない回線番号を送信元とする有用な前記ファクシミリデータを受信する頻度が高い場合がある。この場合、前記ファクシミリデータの送信元を予め限定することによって前記ファクシミリデータについての前記印刷処理を保留することは好ましくない。
【０００７】
本発明の目的は、ファクシミリデータの送信元を予め限定することなく、いわゆるジャンクＦＡＸのように有用でないファクシミリ受信データに基づく印刷処理によって無駄にシートが消費されることを防ぐことができるファクシミリ装置を提供することにある。
【課題を解決するための手段】
【０００８】
本発明の一の局面に係るファクシミリ装置は、操作部と、表示部と、画像形成部と、受信データ記録部と、受信データ分類部と、印刷制御部と、分類確認部とを備える。前記操作部は、ユーザーの操作を受け付ける。前記表示部は、画像を表示可能である。前記画像形成部は、画像をシートに形成する印刷処理を実行可能である。前記受信データ記録部は、他装置から受信したファクシミリ受信データをコンピューター読み取り可能な不揮発性の受信データ記憶部に記憶させる。前記受信データ分類部は、前記他装置から受信された前記ファクシミリ受信データが表す受信画像が予め設定された保留条件を満たすか否かを判定することにより、前記ファクシミリ受信データを非保留データおよび保留データの一方に分類する。前記印刷制御部は、前記ファクシミリ受信データが前記非保留データに分類されたときに、前記ファクシミリ受信データが表す前記受信画像についての前記印刷処理を前記画像形成部に実行させ、前記ファクシミリ受信データが前記保留データに分類されたときに、前記ファクシミリ受信データが表す前記受信画像についての前記印刷処理を保留する。前記分類確認部は、前記ファクシミリ受信データが表す前記受信画像を前記表示部にプレビュー表示させ、さらに、前記操作部に対する確認操作に従って、前記ファクシミリ受信データの分類を維持するか変更するかを選択可能である。前記印刷制御部は、前記ファクシミリ受信データの分類が前記保留データから前記非保留データへ変更された場合に、分類が変更された前記ファクシミリ受信データについての前記印刷処理を前記画像形成部に実行させる。
【発明の効果】
【０００９】
本発明によれば、ファクシミリデータの送信元を予め限定することなく、いわゆるジャンクＦＡＸのように有用でないファクシミリ受信データに基づく印刷処理によって無駄にシートが消費されることを防ぐことができるファクシミリ装置を提供することが可能になる。
【図面の簡単な説明】
【００１０】
【図１】図１は、実施形態に係る画像形成装置のブロック図である。
【図２】図２は、実施形態に係る画像形成装置が実行するＦＡＸ受信データ処理の手順の一例を示すフローチャートである。
【図３】図３は、実施形態に係る画像形成装置が実行するデータ分類確認処理の手順の一例を示すフローチャートである。
【図４】図４は、実施形態に係る画像形成装置が実行する放置保留データ処理の手順の一例を示すフローチャートである。
【図５】図５は、実施形態に係る画像形成装置におけるＦＡＸ受信属性データの構成の一例を示す図である。
【図６】図６は、実施形態に係る画像形成装置における分類関連データの構成の一例を示す図である。
【発明を実施するための形態】
【００１１】
以下、添付図面を参照しながら、本発明の実施形態について説明する。なお、以下の実施形態は、本発明を具体化した一例であって、本発明の技術的範囲を限定する性格を有さない。
【００１２】
実施形態に係る画像形成装置１０は、公衆回線８００を通じてＦＡＸ通信処理を実行するファクシミリ装置の一例である。また、画像形成装置１０は、は、例えばＬＡＮ（Local Area Network）およびインターネットなどのネットワーク８０を通じて前記ＦＡＸ通信処理を実行するネットワークファクシミリ装置の一例でもある。
【００１３】
［画像形成装置１０の構成］
図１に示されるように、実施形態に係る画像形成装置１０は、ユーザーインターフェイス１、画像読取部２、画像形成部３，内蔵ストレージ４、制御部５、通信部６およびモデム７などを備える。ユーザーインターフェイス１は、ユーザーの操作を受け付け可能なタッチパネルまたは押しボタンなどの操作部１ａと、前記ユーザーに提示する情報および画像を表示可能なパネル状の表示部１ｂとを含む。
【００１４】
画像読取部２は、原稿の画像を読み取る画像読取処理を実行する装置である。例えば、画像読取部２は、前記原稿が載置されるプラテンガラス、前記原稿に対して光を出射する光源、前記光源を前記プラテンガラスに沿って移動させる機構、前記原稿からの反射光を受光して画像データを出力するラインセンサーなどを備える。
【００１５】
画像形成部３は、電子写真方式またはインクジェット方式などの予め定められた方式でシートに画像を形成する印刷処理を実行する装置である。例えば、画像形成部３は、画像読取部２によって得られる画像データに基づく前記印刷処理および他装置から受信したＦＡＸデータに基づく前記印刷処理を実行可能である。なお、前記ＦＡＸデータはファクシミリデータを意味する。
【００１６】
内蔵ストレージ４は、コンピューター読み取り可能な不揮発性の記憶部の一例である。例えば、ハードディスクドライブまたはフラッシュメモリーなどが、内蔵ストレージ４として採用される。
【００１７】
通信部６は、ネットワーク８０を通じて他装置と通信を行う通信インターフェイスである。例えば、通信部６は、ネットワーク８０上の他のネットワークファクシミリ装置などと通信可能である。
【００１８】
モデム７は、いわゆるＦＡＸモデムであり、公衆回線８００を通じてＦＡＸデータの送信および前記ＦＡＸデータの受信を実行することが可能な通信インターフェイスである。
【００１９】
制御部５は、各種の演算、データ処理および画像形成装置１０が備える各種の電子機器の制御を実行する。制御部５は、バス１００を通じてユーザーインターフェイス１、内蔵ストレージ４、通信部６およびモデム７との間でデータおよび制御信号の受け渡しが可能である。
【００２０】
制御部５は、ユーザーインターフェイス１を制御するＵＩ（ユーザーインターフェイス）制御部５１、画像読取部２を制御する読取制御部５２、画像形成部３を制御する印刷制御部５３およびＦＡＸ制御部５４などを含む。
【００２１】
ＵＩ制御部５１は、ＦＡＸ受付部５１Ａ、保留通知部５１ＢおよびＦＡＸ確認部５１Ｃを含む。ＦＡＸ受付部５１Ａは、宛先回線番号またはネットワーク８０上の宛先アドレスが設定されたＦＡＸデータの送信ジョブを受け付ける処理を実行可能である。保留通知部５１ＢおよびＦＡＸ確認部５１Ｃについては後述する。
【００２２】
ＦＡＸ制御部５４は、通信部６またはモデム７を制御することにより、前記ＦＡＸデータの送信処理および前記ＦＡＸデータの受信処理を実行する。
【００２３】
例えば、ＦＡＸ受付部５１Ａが前記送信ジョブを受け付けると、ＦＡＸ制御部５４のＦＡＸ送信部５４Ｌが、通信部６またはモデム７を通じてＦＡＸ送信処理を実行する。
【００２４】
また、ＦＡＸ制御部５４のＦＡＸ受信部５４Ａが、他装置から通信部６またはモデム７を通じて前記ＦＡＸデータを受信する。
【００２５】
以下の説明において、受信側の装置から見た前記ＦＡＸデータのことをＦＡＸ受信データＤ０と称する。後述するように、ＦＡＸ受信部５４Ａは、ＦＡＸ受信データＤ０を内蔵ストレージ４に記憶させる。
【００２６】
また、ＦＡＸ受信データＤ０が表す画像、即ち、ＦＡＸ受信データＤ０に含まれる画像データに基づく画像のことを受信画像と称する。
【００２７】
例えば、制御部５は、予め内蔵ストレージ４などに記憶されたプログラムを実行するプロセッサーによって実現される。前記プロセッサーは、ＭＰＵ（Micro Processor Unit）またはＤＳＰ（Digital Signal Processor）などである。
【００２８】
ところで、画像形成装置１０において、いわゆるジャンクＦＡＸが受信された場合、ＦＡＸ受信データＤ０が表す前記受信画像の前記印刷処理が行われると前記シートが無駄に消費される。
【００２９】
一方、企業などに設置される画像形成装置１０において、予め登録されていない回線番号を送信元とする有用な前記ＦＡＸデータを受信する頻度が高い場合がある。この場合、前記ＦＡＸデータの送信元を予め限定することによって前記ＦＡＸデータについての前記印刷処理を保留することは好ましくない。
【００３０】
画像形成装置１０は、後述するＦＡＸ受信データ処理を実行することにより、ＦＡＸ受信データＤ０の送信元を予め限定することなく、いわゆるジャンクＦＡＸのように有用でないＦＡＸ受信データＤ０に基づく前記印刷処理によって無駄に前記シートが消費されることを防ぐことができる。
【００３１】
［ＦＡＸ受信データ処理］
以下、図２に示されるフローチャートを参照しつつ、前記ＦＡＸ受信データ処理の手順の一例について説明する。
【００３２】
ＦＡＸ制御部５４は、前記ＦＡＸ受信データ処理およびその他のＦＡＸ受信データＤ０に関する処理を実行するために、ＦＡＸ受信部５４ＡおよびＦＡＸ送信部５４Ｌに加え、受信データ分類部５４Ｂ、送信元記録部５４Ｆおよび保留条件補正部５４Ｇなどを有する。
【００３３】
また、受信データ分類部５４Ｂは、画素比率判定部５４Ｃ、キーワード判定部５４Ｄおよび分類判定部５４Ｅなどを含む。また、保留条件補正部５４Ｇは、第１保留条件緩和部５４Ｈ、第２保留条件緩和部５４Ｉ、第１保留条件強化部５４Ｊおよび第２保留条件強化部５４Ｋなどを含む。
【００３４】
ＦＡＸ受信部５４Ａが、他装置からＦＡＸ受信データＤ０を受信したときに、図２に示される前記ＦＡＸ受信データ処理を開始させる。以下の説明において、Ｓ１０１，Ｓ１０２，…は、前記ＦＡＸ受信データ処理において実行される工程の識別符号を表す。
【００３５】
＜工程Ｓ１０１＞
前記ＦＡＸ受信データ処理において、ＦＡＸ受信部５４Ａは、ＦＡＸ受信データＤ０に対して固有の識別番号Ｄ１１を割り当てる。識別番号Ｄ１１は、ＦＡＸ受信データＤ０の識別情報の一例である。
【００３６】
＜工程Ｓ１０２＞
さらに、ＦＡＸ受信部５４Ａは、ＦＡＸ受信データＤ０を識別番号Ｄ１１に対応付けて内蔵ストレージ４に記録するとともに、ＦＡＸ受信データＤ０に対応するＦＡＸ受信属性データＤ１を内蔵ストレージ４に記録する。
【００３７】
例えば、図５に示されるように、ＦＡＸ受信属性データＤ１は、識別番号Ｄ１１と、受信日時データＤ１２と、送信元データＤ１３とを含む。受信日時データＤ１２は、ＦＡＸ受信部５４ＡがＦＡＸ受信データＤ０を受信した日時の情報である。
【００３８】
送信元データＤ１３は、ＦＡＸ受信データＤ０の送信元の情報である。ＦＡＸ受信データＤ０が公衆回線８００を通じて受信されたデータである場合、送信元データＤ１３は、ＦＡＸ受信データＤ０の送信元に割り当てられている公衆回線８００の番号である。ＦＡＸ受信データＤ０がネットワーク８０を通じて受信されたデータである場合、送信元データＤ１３は、ＦＡＸ受信データＤ０の送信元に割り当てられているネットワークアドレスである。
【００３９】
なお、工程Ｓ１０２の処理を実行するＦＡＸ受信部５４Ａは、他装置から受信したＦＡＸ受信データＤ０を内蔵ストレージ４に記憶させる受信データ記録部の一例である。また、内蔵ストレージ４は、コンピューター読み取り可能な不揮発性の受信データ記憶部の一例である。
【００４０】
＜工程Ｓ１０３＞
次に、受信データ分類部５４Ｂの分類判定部５４Ｅが、保留送信元判定処理を実行する。前記保留送信元判定処理は、ＦＡＸ受信データＤ０が、内蔵ストレージ４に記憶されている保留データ送信元リストＤ３に含まれる送信元から得られたデータであるか否かを判定する処理である。
【００４１】
保留データ送信元リストＤ３は、受信に応じた前記印刷処理の対象とすべきでないＦＡＸ受信データＤ０の送信元の情報を含むデータである。保留データ送信元リストＤ３に含まれるＦＡＸ受信データＤ０の送信元の情報は、公衆回線８００の番号またはネットワークアドレスである。
【００４２】
後述するように、分類判定部５４Ｅは、ＦＡＸ受信データＤ０を非保留データおよび保留データの一方に分類する。前記非保留データに分類されたＦＡＸ受信データＤ０は、受信に応じた前記印刷処理の対象とされるデータである。前記保留データに分類されたＦＡＸ受信データＤ０は、受信に応じた前記印刷処理の対象とされないデータである。
【００４３】
保留データ送信元リストＤ３は、図３に示されるデータ分類確認処理または図４に示される放置保留データ処理によって内蔵ストレージ４に記録されるデータである。前記データ分類確認処理および前記放置保留データ処理については後述する。
【００４４】
分類判定部５４Ｅは、ＦＡＸ受信データＤ０が保留データ送信元リストＤ３に含まれる送信元から得られたデータであると判定した場合、処理を工程Ｓ１０４へ移行させ、そうでない場合、処理を工程Ｓ１０５へ移行させる。
【００４５】
＜工程Ｓ１０４＞
工程Ｓ１０４において、分類判定部５４Ｅは、ＦＡＸ受信データＤ０を前記保留データに分類する。分類判定部５４Ｅは、分類結果を表す保留判定データＤ２３を分類関連データＤ２の一部として内蔵ストレージ４に記録する。
【００４６】
図６に示されるように、分類判定部５４Ｅは、保留判定データＤ２３を識別番号Ｄ１１に対応付けて内蔵ストレージ４に記録する。図６に示される例では、ＦＡＸ受信データＤ０が前記保留データに分類されたときに、保留判定データＤ２３が"ＯＮ"に設定され、ＦＡＸ受信データＤ０が前記非保留データに分類されたときに、保留判定データＤ２３が"ＯＦＦ"に設定される。
【００４７】
分類判定部５４Ｅは、工程Ｓ１０４の後、処理を工程Ｓ１１１へ移行させる。工程Ｓ１１１の処理については後述する。
【００４８】
＜工程Ｓ１０５＞
一方、工程Ｓ１０５において、受信データ分類部５４Ｂの画素比率判定部５４Ｃが、前記受信画像における有意画素比率Ｄ２１を計算し、算出結果を分類関連データＤ２の一部として内蔵ストレージ４に記録する（図６参照）。
【００４９】
有意画素比率Ｄ２１は、前記受信画像において、画素値が予め設定されたしきい濃度レベルを超える有意画素が占める比率である。画素比率判定部５４Ｃは、識別番号Ｄ１１に対応付けて有意画素比率Ｄ２１を内蔵ストレージ４に記録する。
【００５０】
＜工程Ｓ１０６＞
さらに、画素比率判定部５４Ｃは、有意画素比率Ｄ２１が予め設定されたしきい比率を超えるという第１保留条件が成立するか否かを判定する。さらに、画素比率判定部５４Ｃは、前記第１保留条件の判定結果を表す第１判定データＤ２１ａを分類関連データＤ２の一部として内蔵ストレージ４に記録する（図６参照）。
【００５１】
図６に示される例では、前記第１保留条件が成立すると判定されたときに、第１判定データＤ２１ａが"１"に設定され、前記第１保留条件が成立しない判定されたときに、第１判定データＤ２１ａが"０"に設定される。
【００５２】
一般に、一方的な宣伝チラシなどに形成された画像は、一般的なビジネス文書の画像に比べ、密集して配列された塗りつぶし図形または写真画像などを含むことが多い。そのため、前記受信画像における有意画素比率Ｄ２１が高い場合、ＦＡＸ受信データＤ０がジャンクＦＡＸのデータである可能性が高い。
【００５３】
前記しきい比率は、ユーザーによる操作部１ａに対する操作によって任意に設定可能なパラメーターであり、内蔵ストレージ４に記録される。さらに、本実施形態においては、保留条件補正部５４Ｇが、前記データ分類確認処理において前記しきい比率を補正する場合もある。これについては後述する。
【００５４】
＜工程Ｓ１０７＞
さらに、受信データ分類部５４Ｂのキーワード判定部５４Ｄが、前記受信画像に対する文字認識処理を行うことにより、前記受信画像に含まれる文字列画像に相当する文字列を抽出する。さらに、キーワード判定部５４Ｄは、抽出した文字列である抽出文字列Ｄ２２を分類関連データＤ２の一部として内蔵ストレージ４に記録する（図６参照）。
【００５５】
＜工程Ｓ１０８＞
さらに、キーワード判定部５４Ｄは、抽出文字列Ｄ２２に予め設定された文字列である登録キーワードＤ４ａが含まれているという第２保留条件が成立するか否かを判定する。さらに、キーワード判定部５４Ｄは、前記第２保留条件の判定結果を表す第２判定データＤ２２ａを分類関連データＤ２の一部として内蔵ストレージ４に記録する（図６参照）。
【００５６】
登録キーワードＤ４ａは、ユーザーによる操作部１ａに対する操作によって任意に設定可能な文字列であり、１つまたは複数の登録キーワードＤ４ａを含む登録キーワードデータＤ４が、予め内蔵ストレージ４に記録される。
【００５７】
図６に示される例では、前記第２保留条件が成立すると判定されたときに、第２判定データＤ２２ａが"１"に設定され、前記第２保留条件が成立しない判定されたときに、第２判定データＤ２２ａが"０"に設定される。
【００５８】
前記宣伝チラシなどに形成された画像は、"お買い得"、"大サービス"または"今だけ"など、一般的なビジネス文書ではほとんど使用されない特有の文字列の画像を含むことが多い。そのため、前記宣伝チラシなどに特有の文字列が登録キーワードＤ４ａとして予め設定される。前記受信画像が登録キーワードＤ４ａの画像を含む場合、ＦＡＸ受信データＤ０がジャンクＦＡＸのデータである可能性が高い。
【００５９】
＜工程Ｓ１０９＞
次に、分類判定部５４Ｅが、第１判定データＤ２１ａおよび第２判定データＤ２２ａに応じて、ＦＡＸ受信データＤ０を前記保留データおよび前記非保留データの一方に分類する。さらに、分類判定部５４Ｅは、分類結果を表す保留判定データＤ２３を分類関連データＤ２の一部として内蔵ストレージ４に記録する（図６参照）。
【００６０】
例えば、分類判定部５４Ｅは、第１判定データＤ２１ａおよび第２判定データＤ２２ａのＯＲ条件が成立した場合に、ＦＡＸ受信データＤ０を前記保留データに分類し、そうでない場合に、ＦＡＸ受信データＤ０を前記前記保留データに分類することが考えられる。
【００６１】
なお、図６において、対応する第１判定データＤ２１ａおよび第２判定データＤ２２ａが存在しない識別番号Ｄ１１は、工程Ｓ１０４において前記保留データに分類されたＦＡＸ受信データＤ０に割り当てられた番号である。
【００６２】
また、分類判定部５４Ｅが、第１判定データＤ２１ａおよび第２判定データＤ２２ａのＡＮＤ条件が成立した場合に、ＦＡＸ受信データＤ０を前記保留データに分類し、そうでない場合に、ＦＡＸ受信データＤ０を前記前記保留データに分類することも考えられる。
【００６３】
例えば、前記ＯＲ条件および前記ＡＮＤ条件の一方が、ユーザーによる操作部１ａに対する操作によって任意に選択されることが考えられる。
【００６４】
分類判定部５４Ｅは、ＦＡＸ受信データＤ０を前記非保留データに分類した場合、処理を工程Ｓ１１０へ移行させ、ＦＡＸ受信データＤ０を前記保留データに分類した場合、処理を工程Ｓ１１１へ移行させる。
【００６５】
＜工程Ｓ１１０＞
工程Ｓ１１０において、印刷制御部５３が、ＦＡＸ受信データＤ０が表す前記受信画像についての前記印刷処理を画像形成部３に実行させる。その際、印刷制御部５３は、前記受信画像にその受信画像に対応する識別番号Ｄ１１の画像を付加した画像ついての前記印刷処理を画像形成部３に実行させる。印刷制御部５３は、工程Ｓ１１０の処理の終了後、前記ＦＡＸ受信データ処理を終了させる。
【００６６】
＜工程Ｓ１１１＞
工程Ｓ１１１において、ＵＩ制御部５１の保留通知部５１Ｂが、前記保留データに分類されたＦＡＸ受信データＤ０についての前記印刷処理が保留されたことを示す保留通知を、表示部１ｂを通じて出力する。
【００６７】
例えば、前記保留通知が、前記保留データに分類されたＦＡＸ受信データＤ０の前記受信画像を表示部１ｂにプレビュー表示させる通知であることが考えられる。保留通知部５１Ｂは、工程Ｓ１１１の処理の終了後、前記ＦＡＸ受信データ処理を終了させる。
【００６８】
以上に示されるように、受信データ分類部５４Ｂは、他装置から受信されたＦＡＸ受信データＤ０が表す前記受信画像が予め設定された保留条件を満たすか否かを判定することにより、ＦＡＸ受信データＤ０を前記非保留データおよび前記保留データの一方に分類する（Ｓ１０５〜Ｓ１０９）。
【００６９】
前記保留条件は、画素値が予め前記しきい濃度レベルを超える前記有意画素が占める比率に関する前記第１保留条件および登録キーワードＤ４ａに関する前記第２保留条件などであり、保留の対象とするＦＡＸ受信データＤ０の送信元が予め登録される訳ではない。
【００７０】
さらに、ＦＡＸ受信データＤ０が前記非保留データに分類されたときに、印刷制御部５３が前記受信画像についての前記印刷処理を画像形成部３に実行させ（Ｓ１１０）る。一方、ＦＡＸ受信データＤ０が前記保留データに分類されたときには、保留通知部５１Ｂが前記保留通知を出力する処理を実行するが、印刷制御部５３は前記受信画像についての前記印刷処理を保留する（Ｓ１１１）。
【００７１】
従って、ファクシミリ装置の一例である画像形成装置１０が採用されれば、ＦＡＸ受信データＤ０の送信元を予め限定することなく、いわゆるジャンクＦＡＸのように有用でないＦＡＸ受信データＤ０に基づく前記印刷処理によって無駄に前記シートが消費されることを防ぐことができる。
【００７２】
［データ分類確認処理］
次に、図３に示されるフローチャートを参照しつつ、前記データ分類確認処理の手順の一例について説明する。
【００７３】
前記データ分類確認処理は、保留判定データＤ２３をユーザーによる操作部１ａに対する操作に従って、変更するかそのまま維持するかを選択する処理である。さらに、前記エータ分類確認処理は、前記第１保留条件および前記第２保留条件を補正する処理も含む。前述したように、保留判定データＤ２３は、受信データ分類部５４ＢによるＦＡＸ受信データＤ０の分類結果を表す。
【００７４】
ＵＩ制御部５１のＦＡＸ確認部５１Ｃは、操作部１ａに対する予め定められた分類確認開始操作を検知したときに、図３に示される前記データ分類確認処理を開始させる。以下の説明において、Ｓ２０１，Ｓ２０２，…は、前記データ分類確認処理において実行される工程の識別符号を表す。
【００７５】
＜工程Ｓ２０１＞
前記データ分類確認処理において、まず、ＦＡＸ確認部５１Ｃは、データ選択処理を実行する。前記データ選択処理は、操作部１ａに対する選択操作に従って、内蔵ストレージ４に記憶されているＦＡＸ受信データＤ０のうちの１つを選択する処理である。
【００７６】
前記データ選択処理において、ＦＡＸ確認部５１Ｃは、ＦＡＸ受信属性データＤ１に含まれる識別番号Ｄ１１および受信日時データＤ１２を選択項目として含む選択メニュー画面を表示部１ｂに表示させる。さらに、ＦＡＸ確認部５１Ｃは、操作部１ａに対する前記選択操作に従って、１つの識別番号Ｄ１１を選択する。
【００７７】
前記選択操作は、操作部１ａに対して識別番号Ｄ１１を指定する操作の一例である。識別番号Ｄ１１を指定する操作が、操作部１ａに対して識別番号Ｄ１１を直接入力する操作であることも考えられる。
【００７８】
前述したように、図２の工程Ｓ１１０において、前記非保留データに分類されたＦＡＸ受信データＤ０については、前記受信画像に識別番号Ｄ１１の画像が付加された画像を出力する前記印刷処理が実行されている。そのため、ユーザーは、前記非保留データに分類されたＦＡＸ受信データＤ０を容易に選択することができる。
【００７９】
また、前記データ選択処理において、ＦＡＸ確認部５１Ｃは、操作部１ａに対する分類指定操作に従って、前記非保留データに対応する前記選択項目のみを含む前記選択メニュー画面または前記保留データに対応する前記選択項目のみを含む前記選択メニュー画面を表示部１ｂに表示させることもできる。
【００８０】
＜工程Ｓ２０２＞
次に、ＦＡＸ確認部５１Ｃは、工程Ｓ２０１で選択されたＦＡＸ受信データＤ０が表す前記受信画像を表示部１ｂにプレビュー表示させる。
【００８１】
＜工程Ｓ２０３＞
さらに、ＦＡＸ確認部５１Ｃは、操作部１ａに対する確認操作に従って、工程Ｓ２０１で選択されたＦＡＸ受信データＤ０の分類を維持するか変更するかを選択する分類選択処理を実行する。
【００８２】
即ち、工程Ｓ２０１において操作部１ａに対して識別番号Ｄ１１を指定する操作が行われた場合に、ＦＡＸ確認部５１Ｃは、指定された識別番号Ｄ１１に対応するＦＡＸ受信データＤ０について、前記受信画像のプレビュー表示および前記確認操作に対応する処理を実行する。
【００８３】
工程Ｓ２０３において、ＦＡＸ受信データＤ０の前記保留データへの分類が維持された場合、ＦＡＸ確認部５１Ｃは、処理を工程Ｓ２０４へ移行させる。また、ＦＡＸ受信データＤ０の分類が前記非保留データから前記保留データへ変更された場合、ＦＡＸ確認部５１Ｃは、処理を工程Ｓ２０５へ移行させる。
【００８４】
また、ＦＡＸ受信データＤ０の分類が前記保留データから前記非保留データへ変更された場合、ＦＡＸ確認部５１Ｃは、処理を工程Ｓ２０６へ移行させる。また、その他の場合、即ち、ＦＡＸ受信データＤ０の前記非保留データへの分類が維持された場合、または、処理を中止する操作が行われた場合、ＦＡＸ確認部５１Ｃは、前記データ分類確認処理を終了させる。
【００８５】
＜工程Ｓ２０４＞
工程Ｓ２０４において、送信元記録部５４Ｆが、前記保留データへの分類が前記確認操作によって維持されたＦＡＸ受信データＤ０に対応する送信元データＤ１３を保留データ送信元リストＤ３への追加データとして内蔵ストレージ４に記録する。
【００８６】
但し、分類が維持されたＦＡＸ受信データＤ０に対応する送信元データＤ１３が既に保留データ送信元リストＤ３に含まれている場合、送信元記録部５４Ｆは、工程Ｓ２０４の処理をスキップする。
【００８７】
なお、保留データ送信元リストＤ３は、保留データ送信元情報の一例であり、保留データ送信元リストＤ３を記憶する内蔵ストレージ４は、コンピューター読み取り可能な不揮発性の送信元記憶部の一例である。
【００８８】
送信元記録部５４Ｆは、工程Ｓ２０４の処理の終了後、前記データ分類確認処理を終了させる。これ以降、画像形成装置１０は、工程Ｓ２０４において保留データ送信元リストＤ３に追加された送信元データＤ１３に対応する他装置から受信したＦＡＸ受信データＤ０を前記保留データに分類する（Ｓ１０４）。
【００８９】
なお、工程Ｓ２０４において、ＦＡＸ確認部５１Ｃが、保留データ送信元リストＤ３への送信元データＤ１３の追加を許容する操作が操作部１ａになされたことを検知した場合にのみ、送信元データＤ１３を保留データ送信元リストＤ３に追加することも考えられる。
【００９０】
＜工程Ｓ２０５＞
工程Ｓ２０５において、保留条件補正部５４Ｇが、前記第１保留条件および前記第２保留条件の一方または両方を緩和する方向へ補正する。
【００９１】
具体的には、前記第１保留条件の不成立により前記非保留データに分類されたＦＡＸ受信データＤ０の分類が前記保留データへ変更された場合、第１保留条件緩和部５４Ｈが、前記第１保留条件の前記しきい比率を、分類が変更されたＦＡＸ受信データＤ０の有意画素比率Ｄ２１よりも小さい比率へ補正する。
【００９２】
例えば、第１保留条件緩和部５４Ｈは、前記しきい比率を、分類が変更されたＦＡＸ受信データＤ０の有意画素比率Ｄ２１よりも小さい比率の中で最大の値へ補正する。これ以降、分類が変更されたＦＡＸ受信データＤ０と同様のデータは、補正後の前記しきい比率に基づく前記第１保留条件を満たし、前記保留データへ分類される。
【００９３】
また、前記第２保留条件の不成立により前記非保留データに分類されたＦＡＸ受信データＤ０の分類が前記保留データへ変更された場合、第２保留条件緩和部５４Ｉが、次に示されるキーワード追加処理を実行する。
【００９４】
前記キーワード追加処理は、登録キーワードＤ４ａ以外の予め設定された１つ以上の候補キーワードＤ５ａの中から、分類が変更されたＦＡＸ受信データＤ０の前記受信画像に含まれる文字列画像が表す文字列に一致する補足キーワードを選択し、前記第２保留条件の登録キーワードＤ４ａに前記補足キーワードを追加する処理である。なお、前記受信画像に含まれる文字列画像が表す文字列は、分類関連データＤ２の抽出文字列Ｄ２２である。
【００９５】
前記キーワード追加処理が行われた後、分類が変更されたＦＡＸ受信データＤ０と同様のデータは、補正後の登録キーワードＤ４ａに基づく前記第２保留条件を満たし、前記保留データへ分類される。
【００９６】
１つ以上の候補キーワードＤ５ａは、ユーザーによる操作部１ａに対する操作によって任意に設定可能な文字列であり、１つまたは複数の候補キーワードＤ５ａを含む候補キーワードデータＤ５が、予め内蔵ストレージ４に記録される。候補キーワードＤ５ａは、前記宣伝チラシなどのジャンクＦＡＸに含まれる可能性があるがあるものの、場合によっては前記非保留データに分類されるべきＦＡＸ受信データＤ０の前記受信画像に含まれる可能性もある文字列である。
【００９７】
第１保留条件緩和部５４Ｈは、分類関連データＤ２の第１判定データＤ２１ａおよび第２判定データＤ２２ａを参照することにより、ＦＡＸ受信データＤ０が前記非保留データに分類された原因が前記第１保留条件および前記第２保留条件のいずれにあるのか、または前記第１保留条件および前記第２保留条件の両方にあるのかを判定する。
【００９８】
ＦＡＸ受信データＤ０が、前記第１保留条件および前記第２保留条件のＯＲ条件に基づいて分類される場合、前記第１保留条件および前記第２保留条件の一方が、補正の対象として選択されることが考えられる。
【００９９】
例えば、２つの前記保留条件のうちの予め定められた一方が、補正の対象として選択されることが考えられる。また、第２保留条件緩和部５４Ｉが前記第２保留条件を補正する処理を実行し、前記補足キーワードを特定することができなかった場合に、第１保留条件緩和部５４Ｈが前記第１保留条件を補正する処理を実行することも考えられる。
【０１００】
保留条件補正部５４Ｇは、工程Ｓ２０５の処理の終了ご、処理を工程Ｓ２０４へ移行させる。これにより、送信元記録部５４Ｆが、前述した工程Ｓ２０４の処理を実行し、その後、前記データ分類確認処理を終了させる。
【０１０１】
＜工程Ｓ２０６＞
工程Ｓ２０６において、印刷制御部５３が、分類が前記非保留データへ変更されたＦＡＸ受信データＤ０が表す前記受信画像についての前記印刷処理を画像形成部３に実行させる。その際、印刷制御部５３は、工程Ｓ１１０と同様に、前記受信画像にその受信画像に対応する識別番号Ｄ１１の画像を付加した画像ついての前記印刷処理を画像形成部３に実行させる。
【０１０２】
＜工程Ｓ２０７＞
さらに、保留条件補正部５４Ｇが、前記第１保留条件および前記第２保留条件の一方または両方を強化する方向へ補正する。
【０１０３】
具体的には、前記第１保留条件の成立により前記保留データに分類されたＦＡＸ受信データＤ０の分類が前記非保留データへ変更された場合、第１保留条件強化部５４Ｊが、前記第１保留条件の前記しきい比率を、分類が変更されたＦＡＸ受信データＤ０の有意画素比率Ｄ２１へ補正する。これ以降、分類が変更されたＦＡＸ受信データＤ０と同様のデータは、補正後の前記しきい比率に基づく前記第１保留条件を満たさず、前記非保留データへ分類される。
【０１０４】
また、前記第２保留条件の不成立により前記非保留データに分類されたＦＡＸ受信データＤ０の分類が前記保留データへ変更された場合、第２保留条件強化部５４Ｋが、以下に示されるキーワード除外処理を実行する。
【０１０５】
前記キーワード除外処理は、前記第２保留条件の登録キーワードＤ４ａから、分類が変更されたＦＡＸ受信データＤ０の前記受信画像に含まれる文字列画像が表す文字列に一致するものを除外する処理である。なお、前記受信画像に含まれる文字列画像が表す文字列は、分類関連データＤ２の抽出文字列Ｄ２２である。
【０１０６】
前記キーワード除外処理が行われた後、分類が変更されたＦＡＸ受信データＤ０と同様のデータは、補正後の登録キーワードＤ４ａに基づく前記第２保留条件を満たさず、前記非保留データへ分類される。
【０１０７】
＜工程Ｓ２０８＞
さらに、送信元記録部５４Ｆが、前記保留データから前記非保留データへ分類が変更されたＦＡＸ受信データＤ０に対応する送信元データＤ１３を保留データ送信元リストＤ３から削除する。
【０１０８】
但し、前記保留データから前記非保留データへ分類が変更されたＦＡＸ受信データＤ０に対応する送信元データＤ１３が保留データ送信元リストＤ３に含まれない場合、送信元記録部５４Ｆは、工程Ｓ２０８の処理をスキップする。
【０１０９】
送信元記録部５４Ｆは、工程Ｓ２０８の処理の終了後、前記データ分類確認処理を終了させる。
【０１１０】
以上に示されるように、ＦＡＸ確認部５１Ｃは、ＦＡＸ受信データＤ０が表す前記受信画像を表示部１ｂにプレビュー表示させる（Ｓ２０２）。さらに、ＦＡＸ確認部５１Ｃは、操作部１ａに対する前記確認操作に従って、ＦＡＸ受信データＤ０の分類を維持するか変更するかを選択可能である（Ｓ２０３）。なお、ＦＡＸ確認部５１Ｃは、分類確認部の一例である。
【０１１１】
工程Ｓ２０４，Ｓ２０８の処理が実行されることにより、ユーザーが、ＦＡＸ受信データＤ０の分類を確認する作業の流れの中で、保留データ送信元リストＤ３が、ユーザーが意図する内容へ更新される。その結果、ユーザーが保留データ送信元リストＤ３を更新する手間が省略される。
【０１１２】
前述したように、図２の工程Ｓ１０４において、受信データ分類部５４Ｂの分類判定部５４Ｅは、保留データ送信元リストＤ３に含まれる送信元から得られたＦＡＸ受信データＤ０については、前記第１保留条件および前記第２保留条件の成否に関わらず前記保留データに分類する。
【０１１３】
また、工程Ｓ２０５，Ｓ２０７の処理が実行されることにより、ユーザーが、ＦＡＸ受信データＤ０の分類を確認する作業の流れの中で、前記第１保留条件および前記第２保留条件が、ユーザーが意図する内容へ補正される。その結果、ユーザーが前記第１保留条件および前記第２保留条件を更新する手間が省略される。
【０１１４】
[放置保留データ処理]
次に、図４に示されるフローチャートを参照しつつ、前記放置保留データ処理の手順の一例について説明する。
【０１１５】
前記放置保留データ処理は、前記保留データに分類されたＦＡＸ受信データＤ０の分類が、予め設定された監視期間を経過しても変更されない場合に、ＦＡＸ受信データＤ０に対応する送信元データＤ１３を保留データ送信元リストＤ３へ追加する処理である。
【０１１６】
送信元記録部５４Ｆは、画像形成装置１０が起動した後、例えば予め定められた期間が経過するごとに前記放置保留データ処理を実行する。以下の説明において、Ｓ３０１およびＳ３０２は、前記放置保留データ処理において実行される工程の識別符号を表す。
【０１１７】
＜工程Ｓ３０１＞
送信元記録部５４Ｆは、内蔵ストレージ４を参照し、前記保留データに分類されたＦＡＸ受信データＤ０が、その分類を変更されないまま前記監視期間を経過した放置保留データであるか否かを判定する。
【０１１８】
前記放置保留データであると判定されたＦＡＸ受信データＤ０が内蔵ストレージ４に存在しない場合、送信元記録部５４Ｆは、前記放置保留データ処理を終了させる。一方、前記放置保留データであると判定されたＦＡＸ受信データＤ０が内蔵ストレージ４に存在する場合、送信元記録部５４Ｆは、次の工程Ｓ３０２の処理を実行する。
【０１１９】
＜工程Ｓ３０２＞
工程Ｓ３０２において、送信元記録部５４Ｆは、前記放置保留データであると判定されたＦＡＸ受信データＤ０に対応する送信元データＤ１３を保留データ送信元リストＤ３への追加データとして内蔵ストレージ４に記録する。送信元記録部５４Ｆは、工程Ｓ３０２の処理の終了後、前記放置保留データ処理を終了させる。
【０１２０】
前記放置保留データ処理が実行されることにより、前記保留通知が出力されたにもかかわらず、前記監視期間を経過してもユーザーによって内容を確認されなかったＦＡＸ受信データＤ０の送信元は、前記保留データに分類されるべきデータの送信元と見なされる。これにより、ユーザーが保留データ送信元リストＤ３を更新する手間が省略される。
【０１２１】
[応用例]
以上に示された実施形態において、ＦＡＸ受信データＤ０、ＦＡＸ受信属性データＤ１、分類関連データＤ２、保留データ送信元リストＤ３、登録キーワードデータＤ４および候補キーワードデータＤ５のうちの一部または全部が、画像形成装置１０が通信部６を通じて通信可能な外部装置が備えるデータ記憶部に記録されることも考えられる。前記データ外部装置の前記記憶部は、コンピューター読み取り可能な不揮発性の記憶部である。
【０１２２】
なお、本発明に係るファクシミリ装置は、各請求項に記載された発明の範囲において、以上に示された実施形態及び応用例を自由に組み合わせること、或いは実施形態及び応用例を適宜、変形する又は一部を省略することによって構成されることも可能である。
【符号の説明】
【０１２３】
１        ：ユーザーインターフェイス
１ａ      ：操作部
１ｂ      ：表示部
２        ：画像読取部
３        ：画像形成部
４        ：内蔵ストレージ（受信データ記憶部、送信元記憶部）
５        ：制御部
６        ：通信部
７        ：モデム
１０      ：画像形成装置
５１      ：ＵＩ制御部
５１Ａ    ：ＦＡＸ受付部
５１Ｂ    ：保留通知部
５１Ｃ    ：ＦＡＸ確認部
５２      ：読取制御部
５３      ：印刷制御部
５４      ：ＦＡＸ制御部
５４Ａ    ：ＦＡＸ受信部
５４Ｂ    ：受信データ分類部
５４Ｃ    ：画素比率判定部
５４Ｄ    ：キーワード判定部
５４Ｅ    ：分類判定部
５４Ｆ    ：送信元記録部
５４Ｇ    ：保留条件補正部
５４Ｈ    ：第１保留条件緩和部
５４Ｉ    ：第２保留条件緩和部
５４Ｊ    ：第１保留条件強化部
５４Ｋ    ：第２保留条件強化部
５４Ｌ    ：ＦＡＸ送信部
８０      ：ネットワーク
１００    ：バス
８００    ：公衆回線
Ｄ０      ：ＦＡＸ受信データ
Ｄ１      ：ＦＡＸ受信属性データ
Ｄ１１    ：識別番号
Ｄ１２    ：受信日時データ
Ｄ１３    ：送信元データ
Ｄ２      ：分類関連データ
Ｄ２１    ：有意画素比率
Ｄ２１ａ  ：第１判定データ
Ｄ２２    ：抽出文字列
Ｄ２２ａ  ：第２判定データ
Ｄ２３    ：保留判定データ
Ｄ３      ：保留データ送信元リスト
Ｄ４      ：登録キーワードデータ
Ｄ４ａ    ：登録キーワード
Ｄ５      ：候補キーワードデータ
Ｄ５ａ    ：候補キーワード
【図１】
2018019126.tif 000003
【図２】
2018019126.tif 000004
【図３】
2018019126.tif 000005
【図４】
2018019126.tif 000006
【図５】
2018019126.tif 000007
【図６】
2018019126.tif 000008